(57)【要約】【課題】低コストで小型化を図ることができるアンテナ装置を提供すること。【解決手段】光ビーコン信号を送受信する光信号送受信部１１と、電波ビーコン信号を受信する電波信号受信部１２とを有し、光信号送受信部１１は、光ビーコン信号を発光する発光部１３と、光ビーコン信号を受光する受光部１４と、光ビーコン信号を処理する光信号処理部１５とを備え、電波信号受信部１２は、電磁波に対する光信号送受信部１１のシールドと電波ビーコン信号の受信とを兼ねるアンテナ１６と、電波ビーコン信号を処理する電波信号処理部１７とを備える構成とすることにより、低コストで小型化を図ることができるようにした。【選択図】  図１
2005012542.tif 000002
【特許請求の範囲】
【請求項１】
光信号を送受信する光信号送受信手段と、前記光信号送受信手段から輻射される電磁波および前記光信号送受信手段に到来する電磁波を減衰し、電波信号を受信するアンテナ手段とを備えたことを特徴とするアンテナ装置。
【請求項２】
前記アンテナ手段は、逆Ｆアンテナであることを特徴とする請求項１に記載のアンテナ装置。
【請求項３】
前記光信号送受信手段は、前記光信号を発光する発光部および前記光信号を受光する受光部を備え、前記アンテナ手段は、前記発光部と前記受光部との間に前記発光部によって発光された前記光信号を遮断する光信号遮断部を備えたことを特徴とする請求項１または請求項２に記載のアンテナ装置。
【請求項４】
前記光信号送受信手段および前記アンテナ手段を実装する基板と、前記基板に予め設けられた信号線と前記アンテナ手段とが接続されたループアンテナ手段とを備えたことを特徴とする請求項１に記載のアンテナ装置。
【請求項５】
前記アンテナ手段は、ダイポールアンテナであることを特徴とする請求項１に記載のアンテナ装置。
【請求項６】
前記アンテナ手段は、共振周波数を調整する共振周波数調整部を備えたことを特徴とする請求項１から請求項５までのいずれかに記載のアンテナ装置。
【発明の詳細な説明】
【０００１】
【発明の属する技術分野】
本発明は、光信号を送受信し、電波信号を送受信するアンテナ装置に関する。
【０００２】
【従来の技術】
従来のアンテナ装置は、光ビーコン装置と光ビーコン信号を送受信する光ビーコンアンテナと、電波ビーコン装置から電波ビーコン信号を受信する電波ビーコンアンテナとを備え、光ビーコンアンテナを電波ビーコンアンテナの取り付け面と異なる面に取り付けることによって、道路の真上に配置された光ビーコン装置から送信された光ビーコン信号と路肩に設置された電波ビーコン装置から送信された電波ビーコン信号とを受信できるようになっている（例えば、特許文献１参照。）。
【０００３】
【特許文献１】
特開２００２−１８３８８６号公報（第２頁、第１図）
【０００４】
【発明が解決しようとする課題】
しかしながら、このような従来のアンテナ装置では、光ビーコンアンテナと電波ビーコンアンテナとが異なる面に取り付けられて別個に基板実装されるので、部品および実装のコストが上昇し、また、実装面積が大きくなるため装置自体の小型化の障害になるという問題があった。
【０００５】
本発明は、このような問題を解決するためになされたものであり、低コストで小型化を図ることができるアンテナ装置を提供するものである。
【０００６】
【課題を解決するための手段】
本発明のアンテナ装置は、光信号を送受信する光信号送受信手段と、前記光信号送受信手段から輻射される電磁波および前記光信号送受信手段に到来する電磁波を減衰し、電波信号を送受信するアンテナ手段とを備えたことを特徴とする構成を有している。
【０００７】
この構成により、アンテナ手段は、光信号送受信手段から輻射される電磁波および光信号送受信手段に到来する電磁波を減衰し、電波信号を送受信するので、電磁波に対する光信号送受信手段のシールドと電波信号の送受信とを兼ねることができ、低コストで小型化を図ることができる。
【０００８】
また、本発明のアンテナ装置は、前記アンテナ手段は、逆Ｆアンテナであることを特徴とする構成を有している。
【０００９】
この構成により、アンテナ手段は、一端が開放され、他端が給電される逆Ｆアンテナの構造を有し、小型化することができる。
【００１０】
さらに、本発明のアンテナ装置は、前記光信号送受信手段は、前記光信号を発光する発光部および前記光信号を受光する受光部を備え、前記アンテナ手段は、前記発光部と前記受光部との間に前記発光部によって発光された前記光信号を遮断する光信号遮断部を備えたことを特徴とする構成を有している。
【００１１】
この構成により、光信号遮断部は、発光部によって発光された光信号を遮断し、発光部から受光部への光信号の漏れを防止するので、発光部と受光部とを近接させることができ、小型化することができる。
【００１２】
さらに、本発明のアンテナ装置は、前記光信号送受信手段および前記アンテナ手段を実装する基板と、前記基板に予め設けられた信号線と前記アンテナ手段とが接続されたループアンテナ手段とを備えたことを特徴とする構成を有している。
【００１３】
この構成により、ループアンテナ手段は、光信号送受信手段から輻射される電磁波および光信号送受信手段に到来する電磁波を減衰し、電波信号を送受信することができる。
【００１４】
さらに、本発明のアンテナ装置は、前記アンテナ手段は、ダイポールアンテナであることを特徴とする構成を有している。
【００１５】
この構成により、ダイポールアンテナは、光信号送受信手段から輻射される電磁波および光信号送受信手段に到来する電磁波を減衰し、電波信号を送受信することができる。
【００１６】
さらに、本発明のアンテナ装置は、前記アンテナ手段は、共振周波数を調整する共振周波数調整部を備えたことを特徴とする構成を有している。
【００１７】
この構成により、共振周波数調整部は、アンテナ手段の共振周波数を調整するので、所望の周波数の電波信号を送受信することができる。
【００１８】
【発明の実施の形態】
以下、本発明の実施の形態について、図面を参照して説明する。
【００１９】
（第１の実施の形態）
まず、本発明の第１の実施の形態のアンテナ装置の構成について説明する。
【００２０】
なお、本実施の形態のアンテナ装置は、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）センタで編集、処理された道路交通情報に関する信号を送受信するものとして説明する。この道路交通情報は、渋滞情報、駐車場情報、交通規制情報等を含んでいる。また、受信した道路交通情報をナビゲーション装置に出力する例を挙げて説明する。
【００２１】
図１に示すように、本実施の形態のアンテナ装置１０は、道路上に設置された光ビーコン装置と道路交通情報を含む光ビーコン信号を送受信する光信号送受信部１１と、道路上に設置された電波ビーコン装置から道路交通情報を含む電波ビーコン信号を受信する電波信号受信部１２とを備えている。また、アンテナ装置１０は、例えば同軸ケーブルを介して、ナビゲーション装置７０に接続されている。
【００２２】
光信号送受信部１１は、光ビーコン信号を発光する発光部１３と、光ビーコン信号を受光する受光部１４と、発光部１３に出力する信号および受光部１４から入力する信号を処理する光信号処理部１５とを備えている。
【００２３】
発光部１３は、光ビーコン装置に光ビーコン信号を投光する投光レンズと、光ビーコン信号を発光する発光素子と、光信号処理部１５から出力される信号に基づいて発光素子を駆動する駆動回路と、発光素子の光量を検出して発光素子の発光出力を調整する発光出力調整回路等によって構成されている。発光素子は、例えば８５０ｎｍの波長の光を発するＬＥＤ、レーザダイオード等によって構成されている。
【００２４】
受光部１４は、光ビーコン装置から光ビーコン信号を受光する受光レンズと、受光した光ビーコン信号を電気信号に変換する受光素子および電気信号に変換された信号を増幅するアンプ等によって構成されている。受光素子は、フォトダイオード、ＣＣＤ等によって構成されている。
【００２５】
光信号処理部１５は、発光部１３に出力する信号を生成する発光信号生成回路および受光部１４からの信号を処理する受光信号処理回路によって構成されている。発光信号生成回路は、送信制御回路、変調回路、送信バッファ等によって構成され、受光信号処理回路は、受信制御回路、復調回路、受信バッファ等によって構成されている。
【００２６】
一方、電波信号受信部１２は、電波ビーコン装置から電波ビーコン信号を受信するアンテナ１６と、アンテナ１６が受信した電波ビーコン信号を処理する電波信号処理部１７とを備えている。
【００２７】
アンテナ１６は、アルミニウム、銅等の導体で構成され、電波信号処理部１７の構成部品を含む電子部品およびアンテナ装置１０の周辺にある周辺装置が誤動作しないよう光信号送受信部１１から輻射される電磁波を減衰するようになっている。また、アンテナ１６は、光信号送受信部１１が誤動作しないようアンテナ装置１０の周辺から光信号送受信部１１に到来する電磁波を減衰するようになっている。したがって、アンテナ１６は、電磁波に対する光信号送受信部１１のシールドと電波ビーコン信号の受信とを兼ねる構成となっている。
【００２８】
電波信号処理部１７は、不要な信号を除去するフィルタ、所定の周波数に変換する周波数変換回路、信号を増幅するアンプ、信号を復調する復調回路等を含んでいる。
【００２９】
本実施の形態のアンテナ装置１０は、図２に示すような外観を有している。なお、図２において、外ケースの図示は省略している。
【００３０】
前述の光信号送受信部１１は、図２に示されたプラスチック製のパッケージ１８に収納され、モジュール化されている。パッケージ１８には、３個の投光レンズ１３ａ〜１３ｃと１個の受光レンズ１４ａとが取り付けられている。また、パッケージ１８は、アンテナ１６によってプリント基板１９に固定されている。
【００３１】
なお、投光レンズおよび受光レンズの個数は、前述の個数に限定されるものではない。例えば、光信号送受信部１１から送信する光ビーコン信号の出力に応じて投光レンズの個数を増減する構成としてもよい。また、プリント基板１９には、光信号処理部１５および電波信号処理部１７の構成部品を含む部品が実装されている。
【００３２】
アンテナ１６は、図３（ａ）に示すような逆Ｆアンテナを構成している。図３（ａ）において、アンテナ１６は、高周波信号を供給する給電部１６ａを有している。給電部１６ａは曲げ加工されている。なお、アンテナ１６を図３（ｂ）に示すようなアンテナ２０に代えてもよい。図３（ｂ）に示されたアンテナ２０は、金属板を溶着またはネジ止め等により取り付けて構成された給電部２０ａを備えている。
【００３３】
また、アンテナ１６は、図４に示すようにプリント基板１９に固定されるようになっている。すなわち、アンテナ１６の給電部１６ａ、第１の端部１６ｂ、および第２の端部１６ｃがプリント基板１９の所定の穴に挿入され、例えば半田付けによってアンテナ１６とプリント基板１９とが固定されるようになっている。
【００３４】
また、アンテナ１６の給電部１６ａは、電波信号処理部１７に接続され、アンテナ１６の第２の端部１６ｃは、プリント基板１９のグランドパターン１９ａに接続され、接地されている。
【００３５】
さらに、アンテナ１６は、図４に示された寸法Ｌ１と寸法Ｌ２との和が電波ビーコン信号の波長の約１／４になるよう設定されている。電波ビーコン信号の周波数２．４９ＧＨｚより、電波ビーコン信号の波長は約１２ｃｍである。したがって、寸法Ｌ１と寸法Ｌ２との和を約３ｃｍにすることによって、アンテナ１６は、電波ビーコン信号の周波数２．４９ＧＨｚで共振する逆Ｆアンテナとして動作するようになっている。
【００３６】
次に、本実施の形態のアンテナ装置１０の動作について説明する。
【００３７】
まず、光信号送受信部１１の受光部１４によって、光ビーコン装置から送信された道路交通情報を含む光ビーコン信号が受光され、電気信号に変換されて光信号処理部１５に出力される。そして、光信号処理部１５によって、電気信号に変換された光ビーコン信号が復調され、ナビゲーション装置７０に出力される。
【００３８】
また、光信号処理部１５によって、光ビーコン装置に投光する所定の信号が生成され、発光部１３から光ビーコン信号が発光される。この信号は、例えば、アンテナ装置１０を搭載した車両が光ビーコン装置の下を通過したとき、予め設定された車両の情報が光ビーコン装置経由でＶＩＣＳセンタに送信される信号である。ＶＩＣＳセンタは、車両が光ビーコン装置の下を通過してから次の光ビーコン装置の下を通過するまでの時間に基づいて道路の渋滞情報を収集することができる。
【００３９】
一方、電波信号受信部１２のアンテナ１６によって、電波ビーコン装置から電波ビーコン信号が受信される。そして、電波信号処理部１７によって、受信した電波ビーコン信号が復調され、ナビゲーション装置７０に出力される。
【００４０】
アンテナ１６は、光信号送受信部１１が光ビーコン信号を光ビーコン装置に送信するとき、プリント基板１９に実装された電子部品およびアンテナ装置１０の周辺にある周辺装置が誤動作しないよう光信号送受信部１１から輻射される電磁波を減衰する。また、アンテナ１６は、光信号送受信部１１が光ビーコン装置から光ビーコン信号を受信して受信信号を処理するとき、光信号送受信部１１が誤動作しないようアンテナ装置１０の周辺から光信号送受信部１１に到来する電磁波を減衰する。
【００４１】
なお、光信号送受信部１１は光信号送受信手段を構成し、アンテナ１６はアンテナ手段を構成している。
【００４２】
次に、本実施の形態の他の態様のアンテナ装置３０について、図５を参照して説明する。
【００４３】
図５に示すように、アンテナ装置３０は、前述のアンテナ装置１０のアンテナ１６を変形したアンテナ２１を備えている。アンテナ２１は、破線で示された給電部２１ａを備えている。給電部２１ａは、発光部１３と受光部１４との間に設置され、発光部１３から発光された光ビーコン信号が受光部１４を誤動作させないよう光ビーコン信号を遮断するようになっている。給電部２１ａは、図６に示すように金属板を溶着、ネジ止め等により取り付けて構成され、アンテナ２１はアンテナ１６と同様に、逆Ｆアンテナとして動作するようになっている。なお、給電部２１ａは、光信号遮断部を構成している。
【００４４】
アンテナ２１に給電部２１ａを設ける構成により、発光部１３から発光された光ビーコン信号が受光部１４に漏れることを防止できるので、受光部１４の誤動作を防止することができる。
【００４５】
なお、本実施の形態のアンテナ装置１０が送受信する信号は、光ビーコン信号および電波ビーコン信号に限定されない。例えば、アンテナ装置１０がＥＴＣシステム（Ｅｌｅｃｔｒｏｎｉｃ  Ｔｏｌｌ  Ｃｏｌｌｅｃｔｉｏｎ  Ｓｙｓｔｅｍ）の電波信号を送受信するアンテナを備える構成としてもよい。
【００４６】
以上のように、本実施の形態のアンテナ装置１０によれば、アンテナ１６は、電磁波に対する光信号送受信部１１のシールドと電波ビーコン信号の受信とを兼ねる構成としたので、低コストで小型化を図ることができる。
【００４７】
（第２の実施の形態）
まず、本発明の第２の実施の形態のアンテナ装置の構成について説明する。
【００４８】
図７に示すように、本実施の形態のアンテナ装置４０は、本発明の第１の実施の形態のアンテナ装置１０のアンテナ１６に代えてアンテナ４１を備えた構成と同様である。したがって、アンテナ装置１０と同様な構成については、同一の符号を付して、その構成の説明を省略する。
【００４９】
アンテナ４１は、アルミニウム、銅等の導体でコの字状に折り曲げられた形状を有し、電波信号処理部１７の構成部品を含む電子部品およびアンテナ装置４０の周辺にある周辺装置が誤動作しないよう光信号送受信部１１から輻射される電磁波を減衰するようになっている。また、アンテナ４１は、光信号送受信部１１が誤動作しないようアンテナ装置４０の周辺から光信号送受信部１１に到来する電磁波を減衰するようになっている。したがって、アンテナ４１は、電磁波に対する光信号送受信部１１のシールドと電波ビーコン信号の受信とを兼ねる構成となっている。
【００５０】
また、プリント基板１９は、接地されたグランドパターン１９ａおよび電波信号処理部１７の信号を伝送する信号回路パターン１９ｂを備えている。
【００５１】
アンテナ４１の第１の端部４１ａは、電波信号処理部１７に接続され、アンテナ４１の第２の端部４１ｂはプリント基板１９のグランドパターン１９ａに接続され、接地されている。プリント基板１９のグランドパターン１９ａおよび信号回路パターン１９ｂとはマイクロストリップライン１９ｃを構成している。また、アンテナ４１は、パッケージ１８をプリント基板１９に固定するようになっている。
【００５２】
さらに、このマイクロストリップライン１９ｃおよびアンテナ４１はループアンテナを構成し、マイクロストリップライン１９ｃの長さによってループアンテナの電気長が決定されるようになっている。例えば、ループアンテナの電気長を電波ビーコン信号の１波長、すなわち約１２ｃｍにすることによって、ループアンテナは、電波ビーコン信号の周波数２．４９ＧＨｚで共振するようになっている。
【００５３】
なお、マイクロストリップライン１９ｃおよびアンテナ４１は、ループアンテナ手段を構成している。
【００５４】
次に、本実施の形態のアンテナ装置４０の動作について説明する。なお、前述のアンテナ装置１０と同様な動作については、その説明を省略する。
【００５５】
マイクロストリップライン１９ｃおよびアンテナ４１により構成されたループアンテナによって、電波ビーコン信号が受信される。
【００５６】
アンテナ４１は、光信号送受信部１１が光ビーコン信号を光ビーコン装置に送信するとき、プリント基板１９に実装された電子部品およびアンテナ装置４０の周辺にある周辺装置が誤動作しないよう光信号送受信部１１から輻射される電磁波を減衰する。また、アンテナ４１は、光信号送受信部１１が光ビーコン装置から光ビーコン信号を受信して受信信号を処理するとき、光信号送受信部１１が誤動作しないようアンテナ装置４０の周辺から光信号送受信部１１に到来する電磁波を減衰する。
【００５７】
以上のように、本実施の形態のアンテナ装置４０によれば、アンテナ４１は、電磁波に対して光信号送受信部１１をシールドし、アンテナ４１およびマイクロストリップライン１９ｃは、電波ビーコン信号を受信する構成としたので、低コストで小型化を図ることができる。
【００５８】
（第３の実施の形態）
まず、本発明の第３の実施の形態のアンテナ装置の構成について説明する。
【００５９】
図８に示すように、本実施の形態のアンテナ装置５０は、本発明の第１の実施の形態のアンテナ装置１０のアンテナ１６に代えてシールド板５１およびダイポールアンテナ５２を備えた構成と同様である。したがって、アンテナ装置１０と同様な構成については、同一の符号を付して、その構成の説明を省略する。
【００６０】
シールド板５１は、アルミニウム、銅等の導体で構成され、コの字状に折り曲げられた形状を有し、プリント基板１９に固定されている。また、シールド板５１は、パッケージ１８をプリント基板１９に固定するようになっている。
【００６１】
ダイポールアンテナ５２は、アルミニウム、銅等の導体で構成され、第１のアンテナ部５２ａおよび第２のアンテナ部５２ｂを有している。第１のアンテナ部５２ａは電波信号処理部１７に接続され、第２のアンテナ部５２ｂはプリント基板１９のグランドパターン（図示せず）に接続され、接地されている。
【００６２】
図９に示すように、第１のアンテナ部５２ａおよび第２のアンテナ部５２ｂは、それぞれ、端部が広がったＬ字状の形状を有している。ダイポールアンテナ５２は、図９に示された寸法Ｌ３に共振する周波数ｆ１から寸法Ｌ４に共振する周波数ｆ２までの広帯域周波数帯の電波ビーコン信号が受信できるようになっている。
【００６３】
シールド板５１およびダイポールアンテナ５２は、光信号送受信部１１が光ビーコン信号を光ビーコン装置に送信するとき、プリント基板１９に実装された電子部品およびアンテナ装置５０の周辺にある周辺装置が誤動作しないよう光信号送受信部１１から輻射される電磁波を減衰するようになっている。また、シールド板５１およびダイポールアンテナ５２は、光信号送受信部１１が光ビーコン装置から光ビーコン信号を受信して受信信号を処理するとき、光信号送受信部１１が誤動作しないようアンテナ装置５０の周辺から光信号送受信部１１に到来する電磁波を減衰するようになっている。したがって、ダイポールアンテナ５２は、電磁波に対する光信号送受信部１１のシールドと電波ビーコン信号の受信とを兼ねる構成となっている。
【００６４】
なお、第１のアンテナ部５２ａおよび第２のアンテナ部５２ｂは、アンテナ手段を構成している。
【００６５】
次に、本実施の形態のアンテナ装置５０の動作について説明する。なお、前述のアンテナ装置１０と同様な動作については、その説明を省略する。
【００６６】
ダイポールアンテナ５２によって、周波数ｆ１〜ｆ２の電波ビーコン信号が受信される。電波信号処理部１７によって、周波数ｆ１〜ｆ２の電波ビーコン信号が復調される。
【００６７】
シールド板５１およびダイポールアンテナ５２は、光信号送受信部１１が光ビーコン信号を光ビーコン装置に送信するとき、プリント基板１９に実装された電子部品およびアンテナ装置５０の周辺にある周辺装置が誤動作しないよう光信号送受信部１１から輻射される電磁波を減衰する。また、シールド板５１およびダイポールアンテナ５２は、光信号送受信部１１が光ビーコン装置から光ビーコン信号を受信して受信信号を処理するとき、光信号送受信部１１が誤動作しないようアンテナ装置５０の周辺から光信号送受信部１１に到来する電磁波を減衰する。
【００６８】
なお、ダイポールアンテナ５２によって電磁波に対する所望のシールド効果が得られるときは、シールド板５１を省略または簡略化する構成としてもよい。
【００６９】
また、第１のアンテナ部５２ａおよび第２のアンテナ部５２ｂのエレメント長を調整することによって共振周波数を変更することができるので、電波信号受信部１２が受信する電波ビーコン信号の周波数帯を変更することができる。
【００７０】
また、本実施の形態のアンテナ装置５０に電波信号を送信する送信回路を追加することによって、広帯域の電波信号の送受信に対応することができる。例えば、ダイポールアンテナ５２を無線ＬＡＮ規格の一つである近距離無線規格ブルートゥース（Ｂｌｕｅｔｏｏｔｈ）のアンテナとする場合は、図９に示された寸法Ｌ３および寸法Ｌ４をブルートゥース無線周波数の２．４００〜２．４８４ＧＨｚの波長に設定すればよい。
【００７１】
以上のように、本実施の形態のアンテナ装置５０によれば、シールド板５１およびダイポールアンテナ５２は、電磁波に対して光信号送受信部１１をシールドし、ダイポールアンテナ５２は、広帯域の周波数に共振する構成としたので、低コストで小型化を図ることができ、しかも広帯域周波数帯の電波ビーコン信号を受信することができる。
【００７２】
（第４の実施の形態）
まず、本発明の第４の実施の形態のアンテナ装置の構成について説明する。
【００７３】
図１０に示すように本実施の形態のアンテナ装置６０は、本発明の第１の実施の形態のアンテナ装置１０のアンテナ１６に代えてアンテナ６１を備えた構成と同様である。したがって、アンテナ装置１０と同様な構成については、同一の符号を付して、その構成の説明を省略する。
【００７４】
図１０に示されたアンテナ６１は、アルミニウム、銅等の導体で構成され、逆Ｆアンテナとして動作するようになっており、リアクタンス成分によってエレメント長を調整するエレメント長調整部６１ａを有している。また、図１１に示すようにアンテナ６１は、高周波信号を供給する給電部６１ｂと、第１の端部６１ｃと、第２の端部６１ｄとを有している。
【００７５】
また、アンテナ６１は、図４に示されたアンテナ１６と同様に、プリント基板１９に固定されるようになっている。すなわち、図１１に示すように、アンテナ６１の給電部６１ｂ、第１の端部６１ｃ、および第２の端部６１ｄがプリント基板１９の所定の穴に挿入され、例えば、半田付けによってアンテナ６１とプリント基板１９とが固定されるようになっている。また、アンテナ６１の給電部６１ｂは、電波信号処理部１７に接続され、アンテナ６１の第２の端部６１ｄは、プリント基板１９のグランドパターンに接続され、接地されるようになっている。
【００７６】
エレメント長調整部６１ａが有するリアクタンス成分によって、エレメント長調整部６１ａは比較的低い周波数帯の電波信号を通すよう設定されているので、低い周波数帯においては、アンテナ６１のエレメント長は、図１１に示された寸法Ｌ５と寸法Ｌ６との和となる。
【００７７】
一方、電波ビーコン信号の周波数２．４９ＧＨｚの近傍の周波数においては、エレメント長調整部６１ａの範囲のリアクタンス成分は非常に大きくなるよう設定されているので、アンテナ６１のエレメント長は、図１１に示された寸法Ｌ７程度になるようになっている。すなわち、寸法Ｌ７の長さが電波ビーコン信号の１／４波長とほぼ一致するように設定すればよい。周波数が２．４９ＧＨｚの電波ビーコン信号の１／４波長は約３ｃｍなので、寸法Ｌ７を約３ｃｍの長さにすれば電波ビーコン信号を受信することができる。
【００７８】
したがって、例えば設計上の制約により、アンテナ６１の寸法Ｌ５と寸法Ｌ６との和の長さが電波ビーコン信号の波長と一致せず共振が得られない場合でも、エレメント長調整部６１ａによって電波ビーコン信号の波長と一致させ、電波ビーコン信号を受信することができるようになっている。
【００７９】
なお、アンテナ６１はアンテナ手段を構成し、エレメント長調整部６１ａは共振周波数調整部を構成している。
【００８０】
次に、本実施の形態のアンテナ装置６０の動作について説明する。なお、前述のアンテナ装置１０と同様な動作については、その説明を省略する。
【００８１】
アンテナ６１によって、電波ビーコン装置から電波ビーコン信号が受信される。このとき、エレメント長調整部６１ａによって、アンテナ６１のエレメント長が電波ビーコン信号と共振する長さに設定される。そして、電波信号処理部１７によって、電波ビーコン信号が復調される。
【００８２】
アンテナ６１は、光信号送受信部１１が光ビーコン信号を光ビーコン装置に送信するとき、プリント基板１９に実装された電子部品およびアンテナ装置６０の周辺にある周辺装置が誤動作しないよう光信号送受信部１１から輻射される電磁波を減衰する。また、アンテナ６１は、光信号送受信部１１が光ビーコン装置から光ビーコン信号を受信して受信信号を処理するとき、光信号送受信部１１が誤動作しないようアンテナ装置６０の周辺から光信号送受信部１１に到来する電磁波を減衰する。
【００８３】
以上のように、本実施の形態のアンテナ装置６０によれば、アンテナ６１は、電波ビーコン信号の周波数２．４９ＧＨｚの近傍の周波数において、エレメント長調整部６１ａの範囲のリアクタンス成分が非常に大きくなるよう設定する構成としたので、例えば設計上の制約によりアンテナ６１の長さが電波ビーコン信号の波長と一致しない場合でも、エレメント長調整部６１ａによって電波ビーコン信号の波長と一致させ、電波ビーコン信号を受信することができる。
【００８４】
【発明の効果】
以上説明したように、本発明によれば、低コストで小型化を図ることができるアンテナ装置を提供することができる。
【図面の簡単な説明】
【図１】本発明の第１の実施の形態のアンテナ装置のブロック図
【図２】本発明の第１の実施の形態のアンテナ装置の外観図
【図３】（ａ）本発明の第１の実施の形態のアンテナの一例を示す図
（ｂ）給電部の変更例を示す図
【図４】本発明の第１の実施の形態のアンテナ装置の説明図
【図５】本発明の第１の実施の形態の他の態様のアンテナ装置の外観図
【図６】光信号を遮断する給電部を備えたアンテナの一例を示す図
【図７】本発明の第２の実施の形態のアンテナ装置の説明図
【図８】本発明の第３の実施の形態のアンテナ装置の外観図
【図９】本発明の第３の実施の形態のアンテナの一例を示す図
【図１０】本発明の第４の実施の形態のアンテナ装置の外観図
【図１１】本発明の第４の実施の形態のアンテナの一例を示す図
【符号の説明】
１０、３０、４０、５０、６０  アンテナ装置
１１  光信号送受信部
１２  電波信号受信部
１３  発光部
１３ａ  投光レンズ
１４  受光部
１４ａ  受光レンズ
１５  光信号処理部
１６  アンテナ
１６ａ  給電部
１６ｂ  第１の端部
１６ｃ  第２の端部
１７  電波信号処理部
１８  パッケージ
１９  プリント基板
１９ａ  グランドパターン
１９ｂ  信号回路パターン
１９ｃ  マイクロストリップライン
２０  アンテナ
２０ａ  給電部
２１  アンテナ
２１ａ  給電部
４１  アンテナ
４１ａ  第１の端部
４１ｂ  第２の端部
５１  シールド板
５２  ダイポールアンテナ
５２ａ  第１のアンテナ部
５２ｂ  第２のアンテナ部
６１  アンテナ
６１ａ  エレメント長調整部
６１ｂ  給電部
６１ｃ  第１の端部
６１ｄ  第２の端部
７０  ナビゲーション装置
【図１】
2005012542.tif 000003
【図２】
2005012542.tif 000004
【図３】
2005012542.tif 000005
【図４】
2005012542.tif 000006
【図５】
2005012542.tif 000007
【図６】
2005012542.tif 000008
【図７】
2005012542.tif 000009
【図８】
2005012542.tif 000010
【図９】
2005012542.tif 000011
【図１０】
2005012542.tif 000012
【図１１】
2005012542.tif 000013